【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
複数の遊技店に設けられたデビット端末と公衆回線を介して接続されるとともに、ネットワークを介してデビットカード発行銀行に接続され、前記デビット端末から送信された指定金額を含む決済要求を受け付け、該受け付けた決済要求に基づき前記遊技店におけるデビットカードを用いた決済処理を前記デビットカード発行銀行に依頼する情報処理センタを有するデビットカードシステムであって、
前記情報処理センタは、
前記決済処理に係わる利用制限情報を記憶する記憶手段と、
前記デビット端末からの前記決済要求の受け付けに際して、該決済処理が前記記憶手段に記憶された前記利用制限情報で規定される利用限度範囲内であるか否かを判定する判定手段と、
前記判定手段により前記決済処理が前記利用限度範囲内でないと判定された場合は前記決済要求に基づく決済処理を禁止するように規制する規制手段と
を具備するデビットカードシステム。
【請求項２】
前記遊技店には、
有価価値が関連付けられた記録媒体を発行する媒体発行機と、
前記媒体発行機から発行された記録媒体を受け入れ、該有価価値に基づいて遊技媒体を貸し出す処理を行う記録媒体処理装置と、
前記遊技媒体を用いて遊技を行う遊技機と
が設けられ、
前記デビット端末は、
デビットカードからカード情報を読み取り、前記媒体発行機から発行する記録媒体に関連する有価価値を前記指定金額とする決済要求を前記情報処理センタに送信する
請求項１記載のデビットカードシステム。
【請求項３】
前記デビット端末は、
前記媒体発行機と一体化した遊技料金処理ユニット内に設けられる請求項２記載のデビットカードシステム。
【請求項４】
前記利用制限情報は、
一定期間内の利用上限金額、一定期間内の利用上限回数、１回の利用における上限金額、１回の利用における下限金額のうちの少なくとも１つを含む請求項１記載のデビットカードシステム。
【請求項５】
前記情報処理センタは、
前記遊技店の識別情報に対応して該デビットカードを用いた決済処理の利用実績を記憶する利用実績記憶手段
を具備し、
前記判定手段は、
前記利用実績記憶手段に記憶された利用実績および前記前記デビットカードの識別情報に基づき、前記決済処理が前記記憶手段に記憶された利用制限情報で規定される利用限度範囲内であるか否かの判定を行う請求項１記載のデビットカードシステム。
【手続補正２】
【補正対象書類名】明細書
【補正対象項目名】００１０
【補正方法】変更
【補正の内容】
【００１０】
本発明は上記問題点を解消し、遊技場内に設置されたデビット端末での決済金額を制限することにより、遊技客を遊技にのめり込ませることを抑制できるデビットカードシステムを提供することを目的とする。
【手続補正３】
【補正対象書類名】明細書
【補正対象項目名】００１１
【補正方法】変更
【補正の内容】
【００１１】
上記目的を達成するため、請求項１の発明は、複数の遊技店に設けられたデビット端末と公衆回線を介して接続されるとともに、ネットワークを介してデビットカード発行銀行に接続され、前記デビット端末から送信された指定金額を含む決済要求を受け付け、該受け付けた決済要求に基づき前記遊技店におけるデビットカードを用いた決済処理を前記デビットカード発行銀行に依頼する情報処理センタを有するデビットカードシステムであって、前記情報処理センタは、前記決済処理に係わる利用制限情報を記憶する記憶手段と、前記デビット端末からの前記決済要求の受け付けに際して、該決済処理が前記記憶手段に記憶された前記利用制限情報で規定される利用限度範囲内であるか否かを判定する判定手段と、前記判定手段により前記決済処理が前記利用限度範囲内でないと判定された場合は前記決済要求に基づく決済処理を禁止するように規制する規制手段とを具備する。
【手続補正４】
【補正対象書類名】明細書
【補正対象項目名】００１２
【補正方法】変更
【補正の内容】
【００１２】
また、請求項２の発明は、請求項１の発明において、前記遊技店には、有価価値が関連付けられた記録媒体を発行する媒体発行機と、前記媒体発行機から発行された記録媒体を受け入れ、該有価価値に基づいて遊技媒体を貸し出す処理を行う記録媒体処理装置と、前記遊技媒体を用いて遊技を行う遊技機とが設けられ、前記デビット端末は、デビットカードからカード情報を読み取り、前記媒体発行機から発行する記録媒体に関連する有価価値を前記指定金額とする決済要求を前記情報処理センタに送信する。
【手続補正５】
【補正対象書類名】明細書
【補正対象項目名】００１３
【補正方法】変更
【補正の内容】
【００１３】
また、請求項３の発明は、請求項２の発明において、前記デビット端末は、前記媒体発行機と一体化した遊技料金処理ユニット内に設けられる。
【手続補正６】
【補正対象書類名】明細書
【補正対象項目名】００１４
【補正方法】変更
【補正の内容】
【００１４】
また、請求項４の発明は、請求項１の発明において、前記利用制限情報は、一定期間内の利用上限金額、一定期間内の利用上限回数、１回の利用における上限金額、１回の利用における下限金額のうちの少なくとも１つを含む。 
また、請求項５の発明は、請求項１の発明において、前記情報処理センタは、前記遊技店の識別情報に対応して該デビットカードを用いた決済処理の利用実績を記憶する利用実績記憶手段を具備し、前記判定手段は、前記利用実績記憶手段に記憶された利用実績および前記前記デビットカードの識別情報に基づき、前記決済処理が前記記憶手段に記憶された利用制限情報で規定される利用限度範囲内であるか否かの判定を行う。
【手続補正７】
【補正対象書類名】明細書
【補正対象項目名】００１８
【補正方法】変更
【補正の内容】
【００１８】
図１は、本発明に係わるデビットカードシステムを適用した遊技システムの全体構成を示すブロック図である。
【手続補正８】
【補正対象書類名】明細書
【補正対象項目名】００４４
【補正方法】変更
【補正の内容】
【００４４】
本発明のシステムの構成上の特徴として、上記各島３０の構成要素として更にデビット端末８０が追加されている。このデビット端末８０は、図１に示す如く、カード発行機６０に隣接して設置され、かつ当該カード発行機６０と通信路で接続されている。
【手続補正９】
【補正対象書類名】明細書
【補正対象項目名】００４５
【補正方法】変更
【補正の内容】
【００４５】
また、このデビット端末８０は、パチンコ店３の店外において、公衆回線網４を介して情報処理センタ５に接続されている。
【手続補正１０】
【補正対象書類名】明細書
【補正対象項目名】００５１
【補正方法】変更
【補正の内容】
【００５１】
このデビットカードによる決済の制限をかける処理を行う部分としては、後で述べるように、デビットカードシステム内の情報処理センタ５とすることができるし、デビット端末８０若しくは会員管理システム（会員管理用Ｔ／Ｃ１０）とすることもできる。
【手続補正１１】
【補正対象書類名】明細書
【補正対象項目名】０１１７
【補正方法】変更
【補正の内容】
【０１１７】
また、本実施例では、デビット端末８０とカード発行機６０を独立に設けたが、これらを１ユニット（請求項の遊技料金処理ユニットに相当）内に一体化した構造としても良い。